(57)【特許請求の範囲】
【請求項１】
水和後にコンタクトレンズ要素を搬送、検査、パッケージするための装置であって、
脱イオン水を、パッケージパレット上に配置した複数のパッケージ要素に注入する脱イオン水注入アセンブリと、
前記コンタクトレンズ要素をレンズパレットから第１の位置で受け取り、これを前記脱イオン水が注入された前記パッケージ要素に載置することにより、レンズパッケージの組合せを形成する、第１のレンズ搬送アセンブリと、
前記コンタクトレンズ要素を検査する以前に、前記レンズパッケージ組合せを載置した前記パッケージパレットを一時的に保管できる緩衝ステーションと、
光学的に前記コンタクトレンズ要素を検査する検査ステーションと、
前記検査ステーションにおける検査の後に、前記脱イオン水を前記レンズパッケージ組合せから排除するための脱イオン水排出アセンブリと、
検査に合格したレンズパッケージ組合せの第１の組を検査に不合格のレンズパッケージ組合せの第２の組から分離し、前記第１の組のレンズパッケージ組合せをパッケージステーションへ搬送するための、第１のレンズパッケージ搬送アセンブリと、
前記第１の組のレンズパッケージ組合せを受け取り、一定量の生理食塩水溶液を前記レンズパッケージ組合せに注入して、前記レンズパッケージ組合せに箔ラベルを熱封止するために配置された、生理食塩水溶液注入装置および箔封止アセンブリと
を含み、
前記緩衝ステーションは、
第１のコンベアラインおよび第２のコンベアラインと、
間隔の空いた中間の複数のコンベア部分と、
複数の前記パッケージパレットを前記第１のコンベアラインから受け取り、これらのパッケージパレットのうちから選択したものを前記間隔の空いた中間のコンベア部分の対応するものに移送するための少なくとも１つの分離機構と、
前記複数のパッケージパレットを前記間隔の空いた中間のコンベア部分のそれぞれから受け取って前記第２のコンベアライン上に取りまとめるための少なくとも１つの取りまとめ機構と、
を含み、
前記パッケージステーションは、前記第１の組のレンズパッケージ組合せを前記第１のレンズパッケージ搬送アセンブリから受け取り、前記第１の組のレンズパッケージ組合せを一定配列に再配置し、この配列を前記生理食塩水注入装置および箔封止アセンブリへ搬送するための、取りまとめコンベアラインをさらに含む、装置。
【請求項２】
第２のレンズパッケージ搬送アセンブリをさらに含み、当該アセンブリは前記第１の組のレンズパッケージ組合せの一定配列を前記取りまとめコンベアラインから取り出し、これを前記生理食塩水注入装置および箔封止アセンブリへ搬送する、請求項１に記載の装置。
【請求項３】
前記第２の組のレンズパッケージを離れた破棄回収容器へ搬送するための、レンズパッケージコンベアをさらに含み、前記第１のレンズパッケージ搬送アセンブリは、さらに、前記第２の組のレンズパッケージ組合せを前記レンズパッケージコンベアへ搬送してそこに載置する、請求項１に記載の装置。
【請求項４】
水和後にコンタクトレンズ要素を対応するパッケージ要素に搬送、検査、パッケージするための装置であって、
パッケージパレット上に載置されたパッケージ要素に脱イオン水を注入する、脱イオン水注入アセンブリと、
前記コンタクトレンズ要素をレンズパレットから第１の位置で受け取り、これを前記脱イオン水が注入された前記パッケージ要素に載置することによりレンズパッケージの組合せを形成する、第１のレンズ搬送アセンブリと、
前記コンタクトレンズ要素を検査する以前に、前記レンズパッケージ組合せで満たされた前記パッケージパレットを一時的に保管することのできる、緩衝ステーションと、
前記検査ステーションにおける検査の後に、前記脱イオン水を前記レンズパッケージ組合せから排除するための、脱イオン水排出アセンブリと、
前記レンズパッケージをパッケージステーションへ搬送するための、第１のレンズパッケージ搬送アセンブリと、
前記レンズパッケージ組合せを受け取り、その中に所定量の生理食塩水溶液を注入し、そのレンズパッケージ組合せに箔ラベルを熱封止するように配置した、生理食塩水溶液注入装置および箔封止アセンブリと
を含み、
前記緩衝ステーションは、
第１のコンベアラインおよび第２のコンベアラインと、
間隔の空いた中間の複数のコンベア部分と、
複数の前記パッケージパレットを前記第１のコンベアラインから受け取り、これらのパッケージパレットのうちから選択したものを前記間隔の空いた中間のコンベア部分の対応するものに移送するための少なくとも１つの分離機構と、
前記複数のパッケージパレットを前記間隔の空いた中間のコンベア部分のそれぞれから受け取って前記第２のコンベアライン上に取りまとめるための少なくとも１つの取りまとめ機構と、
を含み、
前記パッケージステーションは、前記レンズパッケージ組合せを前記第１のレンズパッケージ搬送アセンブリから受け取り、前記レンズパッケージ組合せを一定配列に再配置し、この配列を前記生理食塩水注入装置および箔封止アセンブリへ搬送するための、取りまとめコンベアラインをさらに含む、装置。
【請求項５】
水和後にコンタクトレンズ要素を対応するパッケージ要素に搬送、検査、封止するための方法であって、
前記パッケージ要素に脱イオン水を注入する段階と、
前記コンタクトレンズ要素を水和パレットから取り出す段階と、
前記脱イオン水が注入された前記パッケージ要素に前記コンタクトレンズを挿入してレンズパッケージの組合せを形成する段階と、
前記レンズパッケージ組合せの前記コンタクトレンズを検査して前記コンタクトレンズが光学的に正確かまたは光学的に正しくないかを調べる段階と、
前記レンズパッケージ組合せから前記脱イオン水を排出する段階と、
前記光学的に正確なコンタクトレンズを光学的に正しくないコンタクトレンズから分離する段階と、
光学的に正確なコンタクトレンズを含む前記レンズパッケージ組合せに生理食塩水溶液を注入する段階と、
前記レンズパッケージ組合せを取りまとめコンベアラインによって一定配列に再配置する段階と、
前記生理食塩水溶液を充填したレンズパッケージ組合せに箔ラップを熱封止する段階と、
を含み、
前記コンタクトレンズ要素を前記水和パレットから取り出す段階および前記パッケージ要素に前記コンタクトレンズ要素を挿入する段階は、前記コンタクトレンズ要素の相対的空間分布を変更する段階をさらに含む、方法。
【請求項６】
光学的に正確ではないコンタクトレンズを含むレンズパッケージ組合せを含む前記レンズパッケージを離れた破棄回収手段へ搬送する段階をさらに含む、請求項５に記載の方法。
【請求項７】
コンタクトレンズを前記水和パレットから取り出す前記段階は、
それぞれのコンタクトレンズの下から一定量の空気を吹き付けてコンタクトレンズをレンズ担持手段へ推進する段階を含む、請求項５に記載の方法。
【請求項８】
前記それぞれのコンタクトレンズの下から一定量の空気を吹き付ける前記段階には、前記コンタクトレンズの表面に付着していることのある気泡を除去する目的でそれぞれのコンタクトレンズに空気ジェットを送出する段階が後続する、請求項７に記載の方法。
【請求項９】
水和後にコンタクトレンズ要素を対応するパッケージ要素に搬送、検査、封止するための装置であって、
脱イオン水を前記パッケージ要素に注入する脱イオン水注入アセンブリと、
前記コンタクトレンズ要素をレンズパレットから第１の位置で受け取り、前記コンタクトレンズ要素同士の相対的空間分布を変更し、それらのコンタクトレンズ要素を第２の位置に搬送して前記脱イオン水が注入された前記パッケージ要素に配置することによってレンズパッケージの組合せを形成する、レンズ搬送アセンブリと、
前記脱イオン水を前記レンズパッケージ組合せから排除するための、脱イオン水排出アセンブリと、
前記脱イオン水が排出された前記レンズパッケージ組合せをパッケージステーションへ搬送するための、レンズパッケージ搬送アセンブリと、
前記レンズパッケージ組合せを受け取り、その中に所定量の生理食塩水溶液を注入し、そのレンズパッケージの上部表面に箔ラベルを熱封止するように配置された、生理食塩水溶液注入装置および箔封止アセンブリと
を含み、
前記パッケージステーションは、前記レンズパッケージ組合せを前記レンズパッケージ搬送アセンブリから受け取り、前記レンズパッケージ組合せを一定配列に再配置し、この配列を前記生理食塩水注入装置および箔封止アセンブリへ搬送するための、取りまとめコンベアラインをさらに含む、装置。
【請求項１０】
前記レンズパッケージ搬送アセンブリは
一組の水平方向の案内レールと、
前記水平方向の案内レールの少なくとも１つに平行に摺動自在に取り付けてある、複数のビーム要素と、
少なくとも互いに前記案内レールに沿って前記ビーム要素を往復運動させるために前記ビーム要素に接続してある手段と、
線形配列に配置され前記ビーム要素の少なくとも１つから下向きに延出する複数のフィンガ要素を備え、
前記フィンガ要素のそれぞれが、
上下に端部を有する細長い軸と、
前記軸の前記下端部にあってコンタクトレンズを受け取り確実に保持するための、レンズ搬送表面と、
前記端部に隣接して前記軸に沿って配置してあり、前記コンタクトレンズを所定の位置に保持するための、切れ込みのある円環状のスカートと、
前記ビーム要素を少なくとも１つの方向に往復運動させるための、移動機構、
を含む、請求項９に記載の装置。
【請求項１１】
前記フィンガ要素は、前記上端部から前記下端部に延在して所定量の液体を受け取り選択的に放出するための中心部の孔をさらに含む、請求項１０に記載の装置。
【請求項１２】
前記レンズパレットは、
複数の凹部を有し、前記凹部のそれぞれは少なくとも１つの孔を有し、前記凹部にコンタクトレンズが置かれるプレートと、
前記プレート内で前記孔のそれぞれから液体供給源に延在する複数の内部導管であって、液体を通過させて選択的に放出することによって前記凹部にあるコンタクトレンズを前記レンズ搬送アセンブリへ移動させる導管と、
を含む、請求項９に記載の装置。
【請求項１３】
前記第２の位置に配置した空気ジェットユニットをさらに含み、
前記空気ジェットユニットは、
複数の等間隔の凹部を有し、前記等間隔が前記フィンガ要素の空間的分布に対応している、プレートと、
前記凹部のそれぞれにおける少なくとも１つの孔と、
離れた空気タンクから前記凹部のそれぞれの前記孔に延在する導管と、
前記フィンガ要素の前記レンズ搬送表面に固定されているコンタクトレンズに向けて空気を前記導管に通して前記孔から選択的に放出させ、コンタクトレンズの上に存在している全ての気泡を除去するための、空気圧手段と、
をさらに含む、請求項１０に記載の装置。
【発明の詳細な説明】
【０００１】
【発明の属する技術分野】
本発明はにコンタクトレンズ製造の分野に関し、特に、コンタクトレンズを第１の組のパレットから取り出し、これを第２の組のパレットの対応するパッケージ要素に挿入して検査と最終パッケージ封止アセンブリを介してレンズパッケージ要素を搬送する装置に関する。
【０００２】
【従来の技術】
親水性コンタクトレンズの一体成型は、ラーセン（Ｌａｒｓｅｎ）による米国特許第４，４９５，３１３号、ラーセン他（Ｌａｒｓｅｎ  ｅｔ  ａｌ．）による米国特許第４，６４０，４８９号、ラーセン他の米国特許第４，６８０，３３６号、ラーセン他の米国特許第４，８８９，６６４号、ラーセン他の米国特許第５，０３９，４５９号に開示されており、これらは全て本発明の譲受人に譲渡されている。
【０００３】
これらの従来技術の参考では、２×４の成形型に作成された前面カーブ（下側）一体成型ステーションと裏面カーブ（上側）一体成型ステーションの間にモノマーまたはモノマー混合物をはさみ各々のレンズを形成するコンタクトレンズ製造法が開示されている。モノマーを重合させてレンズを形成し、これを成形型から取り出して水和水槽内で処理を施し消費者向けのパッケージを行う。
【０００４】
米国特許第５，０８０，８３９号および第５，０９４，６０９号では各々、前述の特許で開示されているモノマーまたはモノマー混合物で形成されたコンタクトレンズを水和する方法及びコンタクトレンズを水和させるチャンバーが開示されている。これらの特許で開示の方法はレンズを水和させ脱イオン水と塩分を含まない少量の界面活性剤を用いてレンズを成形型から剥離させることにより大幅に処理時間を短縮しており、レンズ原型が作成されるポリマーの時間がかかるイオン中和を水和処理中に行わないようにしている。脱イオン水を使用する場合、処理の最終工程は製品パッケージに緩衝生食水をレンズと共に導入し、しかるのちパッケージ内のレンズを封止して最終製品レンズの平衡（イオン中和、最終的水和、およびレンズの最終寸法合わせ）が室温のパッケージ内でまたは滅菌中に行われるようにしている。
【０００５】
同様に本発明の譲受人にこれも譲渡される米国特許第４，９６１，８２０号では、コンタクトレンズの最終パッケージが開示されており、パッケージはポリプロピレンなどの透明なプラスチック材料とこれに熱封止される積層箔から形成される。
【０００６】
【発明が解決しようとする課題】
一方米国特許第５，０８０，８３９号及び第５，０９４，６０９号では水和処理と最終パッケージの形態への搬送全体が完全自動方式で行い得ることを考慮しており、また一方で前述の特許に開示されたチャンバーならびに方法では水和中にレンズの自動処理を可能としているが、高い歩留まりでレンズを検査しかつ取り扱うための好適な自動装置ならびに完全自動装置内でのその方法の実施は従来技術から容易に成し得なかったかまたは教示されていなかった。
【０００７】
製造組み立てラインは製品の製造のためとこれのパッケージのための装置を含む。さらに、パッケージへの製品の挿入および／または製品の検査を指示するような装置が提供される。さらに、前述の方法に従って製造されたコンタクトレンズの検査における最近の進歩では、本発明の譲受人に譲渡され「レンズ検査方法ならびにその装置」と題する米国特許出願第０７／９９３，７９６号（代理人整理番号ＶＴＮ００３７）に教示されているように、レンズ検査の自動化が行えるようになった。また、湿式コンタクトレンズの水和及び自動処理における最近の進歩では、これも本発明の譲受人に譲渡され「ソフトコンタクトレンズの水和の自動化方法ならびにその装置」と題する米国特許出願第０８／２５８，５５６号（代理人整理番号８，９９８）に教示されているように、水和中とその後の自動レンズ検査システムによるレンズ検査の自動化ロボットによるレンズ取り扱いが可能になった。
【０００８】
自動製造工程は中断に特に敏感な段階を含むことが多い。たとえば、コンタクトレンズ一体成型の製造ステーションでは、充分に正確な光学表面を有する熱可塑性要素の一体成型が成功するのには一体成型ステーションの温度変動が一定している必要がある。しかし製造ラインの他の装置は、頻繁に中断することがあり、材料の補給、部品交換等が必要なことがある。たとえばパッケージ材料を製造するための材料を分割したロールで供給することがあり、使い果したら交換しなければならない。
【０００９】
両方の種類の装置を含むような製造ラインの設計では、１つの装置で連続的に製造される部材を一時的に保持し他方が短時間中断できるような緩衝領域を提供する必要がある。したがって従来技術におけるこれらの目的は１つまたはそれ以上のアキュムレータまたは緩衝領域を提供して製造ラインでこのような変動を均等化するように使用することである。また、コンタクトレンズの製造に特に関して、最近の開発が本発明の譲受人に譲渡される「コンタクトレンズの検査とパッケージを準備するための方法ならびにその装置」と題する米国特許出願第０８／２５８，５５７号（ＶＴＮ−００８６）（代理人整理番号９０１０）に開示されており、何らかの装置が連続動作しつつ別の装置を中断できるようにする目的で緩衝ステーションを製造ラインに含めている。米国特許出願第０８／２５８，５５７号は本明細書において参考として含めてある。
【００１０】
【課題を解決するための手段】
本発明はコンタクトレンズ組み立てラインの一部に関し、パッケージ要素のパレットを一定量の脱イオン水で充填し、一体成型し、水和し、洗浄した一組のコンタクトレンズをパレットから取り出してそれぞれのパッケージ要素に挿入し、パッケージ要素とそれぞれのレンズの組み合わせを緩衝ステーションに搬送し、要素の組を低振動コンベアラインに搬送し、コンタクトレンズの欠陥を検査し、脱イオン水をパッケージから排除し、組み合わせた要素をパレットから取り出し、欠陥レンズを含むパッケージはコンベアラインに残し該要素を回収箱に集積し、正しいレンズを含むパッケージは良好な製品ラインに載せ、良好な製品ラインのレンズを一定の配列にまとめてパレットに搬送し、一定量の生理食塩水溶液をパッケージに導入し箔カバーをパッケージに熱封止することを含む。
【００１１】
さらに詳しくは、上記で導入した処理を実施し本発明の装置を含むアセンブリに関して、脱イオン水注入アセンブリは一定量の脱イオン水をパレット上のパッケージ要素に注入するための装置である。脱イオン水注入アセンブリは一定配列のパッケージ要素のパレットが離れた製造位置からコンタクトレンズを受け入れる第２の位置へ搬送されるコンベアライン上に取り付けてある。パッケージ要素の一定配列の空間的分布は検査ステーションの光学配列に適合するように特に設定する。
【００１２】
本発明のレンズ取り出しおよび検査アセンブリは水和パレットから第１の位置でレンズを引き上げ、脱イオン水の追加とともに第２の位置でパッケージ要素に入れるレンズ搬送装置である。レンズの搬送に加えて、本装置は水和パレット内のレンズの方向をパッケージ要素（およびレンズ検査ステーション）に対応する方向にレンズの空間的配置を変更する。
【００１３】
レンズを水和パレットから取り出しパッケージ要素に移し換える手段に関して、さらに詳しくは、水和パレットはレンズを一定量の脱イオン水とともに配置する一組の凹面を含む。凹部の底には液体を排出できる少なくとも１つの孔を含み、ここに凹部から濡れたレンズを持ち上げる。レンズ搬送アセンブリは一組の下向きに延出する細長いフィンガ要素を含み、それぞれのフィンガ要素は持ち上げたレンズを表面張力で固定する凸面レンズ搬送表面を有する。凸面レンズ搬送表面は円環状に持ち上がったスカートがチップ周囲に設計してありレンズが搬送中に所望の位置から滑り落ちるのを防止する。レンズ搬送装置のフィンガ上の凸面レンズ搬送表面へ搬送されたレンズは露出した表面に小さな気泡を有することがある。検査工程でレンズ表面上に気泡が残ったままだと、正しい検査の障害になりレンズが誤って不良品と判定され不必要に破棄されることがある。少なくとも１つの空気ジェットを各レンズに吹き付けて露出した表面から気泡を除去する。
【００１４】
レンズ搬送アセンブリのフィンガは案内レールに摺動自在に取り付けた平行ビームに列状に取り付けてある。平行なビームはピストン／シリンダ要素と互いに結合してあり、レンズを取り出し気泡を吹き飛ばす段階を実行したら互いに引き上げられる。この動作は１つの軸に対してレンズの相対的な分離を変更し、レンズはレンズ検査パレットに設けた配列に適合するように整列される。
【００１５】
レンズ搬送アセンブリは検査パレット上の位置へ、第２の場所に直線的に移動する。レンズ搬送アセンブリのフィンガはフィンガのレンズ搬送表面にある小さな絞りから脱イオン水タンクへ延在する内部導管が設計してあり、脱イオン水が選択的に放出できる。フィンガとこれに固定したレンズにパッケージ上の位置で小さな脱イオン水のジェットが各絞りから放出され、コンタクトレンズをレンズ搬送表面から分離し検査キャリアに載置されたパッケージ内に落し込む。
【００１６】
パレットとコンタクトレンズを含むパッケージ要素はコンベアベルトで緩衝ステーションへ搬送される。さらに詳しくは、パレットが分離装置へ搬送され、交互にパレットを平行なコンベアラインへと向きを変える。コンベアラインは第１の端部から離れた端部へ充分な距離延在し、大幅な時間的遅延に対応できるようにしてあり、起動に長い時間を必要とする一体成型ラインを停止することなくレンズを保存しておくことができる。
【００１７】
「コンタクトレンズの検査とパッケージを準備するための方法ならびにその装置」と題する米国特許出願第０８／２５８，５５７号の教示する緩衝ステーションは検査ステーションの後で製造ラインに配置してレンズを含むパッケージから脱イオン水を排出する。液体環境がない場合、レンズは再注入まで１５分以上持ちこたえられない。緩衝ステーションをレンズが脱イオン水に浸されているライン内の一点に移動することでレンズを損傷することなく無期限に保持することができる。
【００１８】
緩衝ステーションの離れた端部で、パレットを保管できる並列コンベアラインの端部において、２つのコンベアラインからの交互のパレットを組み合わせて次の処理ステーションに送る組み立てアセンブリがある。さらに詳しくは、緩衝ステーションの平行コンベアラインは端部（パレットが搬送されて来る端部）に２つのパレットの流れを選択的に組み合わせて次のコンベアへ渡せるようにする装置が取り付けてある。
【００１９】
図面を参照してさらに詳しく後述する緩衝ステーションの実施例において、パレットを緩衝ステーションへ搬送し緩衝ステーションの後に延在するコンベアラインは２本の平行なコンベアラインの第１のラインと共直線でこれに隣接する。そのため分離装置は第１に１つのパレットを第１の緩衝ラインへ送り、次のパレットを平行な第２の緩衝ラインへ送り出すことができる。同様に、しかし逆の方法で、組み合わせ装置は第１の緩衝ラインからの１つのパレットを通過させ第２の緩衝ラインからのパレットを緩衝ステーションの先へ続くコンベアラインへ搬送し第１の緩衝ラインからの次のパレットが通過できるようにして次々と送り出せるように動作する。
【００２０】
本装置の別の変化において、分離および組み合わせ装置は連続的にまたは選択的に２つの緩衝ラインのパレット列を分割し結合させる。第１の変化において、パレット列は製造ラインの運転中常に分離装置で分割され組み合わせ装置で統合される。分離装置と組み合わせ装置は後続の処理ステーションが中断した条件下でのみ係合する。この別の変化の分離装置は中断時にだけ動作し、組み合わせ装置は第２の緩衝ライン上にパレットが無くなるまで後続のアセンブリが再開してからも動作を継続する。分離装置と組み合わせ装置をパレットの分離と組み合わせに使用する別の緩衝アルゴリズムが各種存在し、その全てが機能的に等価で本発明の範囲内に存在することは理解されよう。
【００２１】
緩衝ステーションから継続するパレット列は取り出し位置に搬送される。この位置でパレットはコンベアラインから低振動パレット搬送アセンブリによって持ち上げられ低振動コンベア上に載置される。低振動コンベアは検査ステーションへパレットを搬送してここで水和されパッケージされたレンズの光学的特徴の判定を行なう。レンズの認識される光学的特徴がレンズ表面に付着した気泡によって歪められているとレンズの正確な検査が行ない得ないことは理解されよう。パッケージ内の脱イオン水の波と振動も同様の歪曲効果を有し、欠陥の誤検出を招来する。そのため低振動コンベアラインは水の動揺に起因する歪みを押さえるための手段を提供する。
【００２２】
しかしシステム内の製品の流れと同じ速度を維持するため、低振動コンベアラインに沿ったパレット列のスピードの減少をここに沿って移動するパレットの密度の対応する増加で補償しなければならないことは理解されよう。低振動パレット搬送アセンブリは連続したパレットを低振動ライン上に接近させて配置しパレットの間隔を実質的にそれまでのコンベアラインより減少するようにする。
【００２３】
各パレット内の各レンズの光学的正確さの決定は制御装置／処理装置のメモリ内に記憶され、良品レンズを不良品レンズから分離するための手段を続けて使用する。しかし第１に、脱イオン水を充填したパッケージを含むパレットを水抜きアセンブリへ搬送する。レンズの光学的正確さが判定された後でのみ適切な生食水をパッケージに導入する。前述のように、レンズの光学的および物理的特性には生食水中で数時間かけて平衡化する必要があるのでレンズ検査が終わるまでの生食水導入の遅延で製造ラインは大幅に迅速に進むことができる。この平衡化はレンズが製造ラインから排除されてから封止したパッケージ内で有利にも行なうことができることは理解されよう。
【００２４】
検査ステーションにおいて、光ビームまたはパルスを光源からレンズパッケージに放射し、垂直レンズユニットで受信して画面に向けて合焦させることでレンズの画像を作成する。画像は電気的情報信号に変換してこれを処理し、レンズが民生用に受け入れられるかを決定する。レンズ検査の結果はプログラマブル論理制御装置に記憶し、ここで後続の取りまとめおよび搬送アセンブリを調整する。
【００２５】
検査後、パレットをコンベアラインの上に取り付けてある水抜きアセンブリへ持ち上げる。コンタクトレンズを含むパッケージから脱イオン水を排出する装置は、本発明の譲受人にこれも譲渡される「溶液除去ノズル」と題する米国特許出願第０８／９９９，２３４号に教示されている。
【００２６】
水を排出したら、パッケージをコンベアラインに沿ってレンズパッケージ取り出し地点に搬送する。この場所でパッケージをレンズパッケージ搬送アセンブリによりパレットから持ち上げ別のコンベアラインに移し換える。さらに詳しくは、レンズパッケージ搬送アセンブリの別の変化が存在する。第１の変化は、レンズパッケージ要素がパレットから全部取り出されるもので、第２の変化は正しいレンズを含むパッケージだけを取り出すものである。第１の変化はパッケージを破棄コンベアラインへ搬送し、不正確に形成されたレンズとこれが入れられているパッケージを破棄するため搬送中に停止する。アセンブリは残りの正しく形成されたレンズとパッケージを良品コンベアラインへ搬送する。第２の変化において、レンズパッケージ搬送アセンブリは正しく形成されたレンズとパッケージだけをパレットから取り出して良品コンベアへ移動する。破棄されたレンズは後続の回収手順で検査パレットから取り出される。いずれの変化においても、検査アセンブリで決定を行ない、これが処理装置／制御装置によりメモリへ記憶され、レンズパッケージ搬送アセンブリでこれを実行することが理解されよう。
【００２７】
さらに詳しくは、レンズパッケージ搬送アセンブリに関して、一組の、真空岐管から下向きに延在する下降フィンガがパレット上のパッケージの直上に配置される。上記位置から下降し、フィンガ先端をパッケージに当接させ、内部開放容積に真空引きすることでパッケージがレンズパッケージ搬送アセンブリに固定される。前述のように、処理装置／制御装置は選択的に光学的に正しいレンズパッケージの拾い上げを制御するか、またはアセンブリがレンズパッケージを全部拾い上げる。いずれの場合にも、所望のレンズパッケージが良品コンベアラインに搬送され、ここで真空を解除してレンズパッケージをフィンガ先端から落とす。
【００２８】
いずれの場合にも、最終的に良品コンベアラインに載置されるレンズパッケージの配列は必ずしもパレット上にあったときのような（不正確に形成されたレンズパッケージが除去された）一定配列でなくとも良い。良品ラインは取りまとめ機能を実行し、これによってレンズパッケージは一定の配置に直される。さらに詳しくは、コンベアラインは独立した囲い構造に製品を搬送する。第１のレンズパッケージは取りまとめ案内レール（移動の１つの軸に沿ってレンズパッケージを整列する）の間を搬送されて囲いに入れる。ライン上の第１のレンズパッケージは遠位端でゲートにより停止される。次のレンズパッケージは先行パッケージに続き第１のパッケージと当接して停止する。所定数のレンズパッケージが囲いに入り、レンズパッケージの一定配列が作成されたら、コンベアラインからレンズパッケージを取り出し最終パッケージパレットに載置する。
【００２９】
さらに詳しくは、レンズパッケージ要素はコンベアラインによって向けられた囲いから、回転するレンズパッケージ搬送アセンブリにより取り出される。このアセンブリは多くの態様でレンズパッケージ転送アセンブリに類似した懸垂フィンガの配列を含み、これがレンズパッケージ要素の配列を持ち上げてパレットに載置する。このアセンブリはさらに要素のアレイを回転させて１次パッケージに使用するパレットの方向に一致させる回転運動を含む。
【００３０】
レンズパッケージ要素がパレットに載置されてから、生理食塩水秤量封止アセンブリに入る。さらに詳しくは、パレットは生理食塩水分注ユニットの下の位置へ徐々に移動される。このユニットは液体分注器の列を含み、これがパッケージに生理食塩水を充填する。パレットが液体分注器の下に徐々に位置合わせされると、緩衝生理食塩水がパッケージのそれぞれに注入されレンズのそれぞれが平衡段階に入り、人間の眼球の張力（等張性を有する）に適合させる。
【００３１】
パッケージに生食水を充填したら、パレットを前進させ箔ラップで封止する。さらに詳しくは、箔ラップをパッケージに適用し封止する装置に関して、箔ラップ剤量の細長い区画を印刷装置（特定のレンズ使用に関する情報を印刷するため）から前進させる。箔はパッケージ要素の配列の上部を横断して適合するような大きさの断片に切断される。箔の断片とレンズパッケージアセンブリが互いに位置合わせされる。真空把持装置で箔断片を把持しパッケージ要素に向けて下ろし、断片が当接するように配置する。箔ラップ装置が所定位置に来ると、封止機構をパッケージに当接させ、１回の高温短時間サイクル封止動作でパッケージに箔を熱封止する。封止したパッケージは封止アセンブリの先へ進め、平衡化の間貯蔵し最終的に配送用にパッケージされる。
【００３２】
【発明の実施の形態】
コンタクトレンズを組み合わせ検査し封止するためと要素をパッケージするための自動装置の前述の要約に記載した本発明の利点およびアセンブリは、好適実施例についての以下の詳細な説明を添付の図面と合わせて参照することにより当業者には容易に理解されるであろう。図面において類似の要素は複数図面にわたって同一の参照番号で示してある。
本発明は水和後に自動コンタクトレンズ製造施設の処理ステーションで使用するように設計され特にこれに適している。自動製造ラインで一体成型したコンタクトレンズ、たとえば同時出願中の、「統合コンタクトレンズ一体成型」と題する米国特許出願第０８／２５８６５４号（ＶＴＮ−０７７２）（代理人整理番号９０１６）に開示されているような自動製造ラインで製造され、「ソフトコンタクトレンズを水和するための自動化方法ならびにその装置」と題する米国特許出願第０８／２５８５５６号に開示されている水和システムで水和され、「レンズ検査法およびその装置」と題する米国特許出願第０８／９９４５６４号に開示されているように自動検査されたコンタクトレンズは本発明により特に利益を受ける。
【００３３】
本発明は特定のアセンブリならびに装置に関して、これらの特徴を示す図面に対して説明を行う。さらに詳しくは、本発明は次のような幾つかのアセンブリに関して説明する。
第１に、レンズを挿入する前にパッケージ要素へ充填する脱イオン水注入アセンブリ、
第２に、水和パレットからレンズを受け取り空間的配置を変更してパッケージ要素に載せるレンズ搬送検査アセンブリ、
第３に、一時的に後続アセンブリの中断中にレンズパッケージパレットのグループを保持するための緩衝領域を提供する緩衝ステーションとここに含まれる分離および取りまとめ装置、
第４に、検査パレットをコンベアラインから取り出して低振動検査アセンブリコンベアラインに挿入し、どのレンズパッケージが光学的に正確かを決定して脱イオン水をパッケージから排出する低振動レンズパッケージ搬送、検査、水抜きアセンブリ、
第５に、レンズパッケージ要素をパレットから取り出して光学的に正確であると決定されたレンズパッケージを良品コンベアラインに載置するレンズ搬送アセンブリ、
第６に、コンベアラインが光学的に正確なレンズパッケージ要素を一定の配列に取りまとめてレンズパッケージ搬送アセンブリが配列を取り出し、水平面内で要素を回転させ、別のパレットラインに搬送する良品コンベアラインと回転レンズパッケージ搬送アセンブリ、
第７に、適切な生食水をレンズパッケージ要素に導入し出荷と識別のためにパッケージ要素の上部に箔ラベルを熱封止する生食水注入装置と箔封止アセンブリ。
【００３４】
［脱イオン水注入アセンブリ］
図１を参照すると、好適なパッケージ要素１０が斜視図で図示してある。パッケージ要素は同時出願中の米国特許出願９９５６０７号でさらに完全に説明してあり、この開示は本明細書で参考として含めてある。パッケージ要素１０は射出成型により形成するか、またはポリプロピレン等のプラスチックシート材を熱形成する。パッケージ要素１０は平坦で基本的に長方形の形状のプラットホーム部分１２を含み、プラットホーム部分の対向する側面に形成した位置決めノッチ１６ａ、１６ｂにより横方向に独立した部分１４ａ、１４ｂに視覚的に分割されている。第１の部分１４ａはコンタクトレンズと液体を受け入れ搬送するのに特に好適な凹部２４を形成する。第２の部分１４ｂは一般に平坦で、密着させるのに好適な表面を提供することにおいて真空挙上手段との当接のための理想的な位置を提供している。
【００３５】
パッケージキャリアはプラットホーム部分１２から外向きかつ下向きに角度をつけて下降する壁部分が一端に形成してあり角度をつけたフランジ部材を形成する。プラットホーム部分１２の角からこれの対向する端部で下向きに下降しているのは、一対の位置決めフランジ２０、２２で、一方だけが図１に図示してある。位置決めフランジ２０、２２は角度をつけたフランジ１８および位置決めノッチ１６ａ、１６ｂとともにロボット操作の間にパッケージキャリアを揃えるために使用する。特に、ノッチ１６ａ、１６ｂはプラットホーム部分１２のいずれかの側面に設けて各種キャリアパレット上の位置決めピンと協働できるようにしてある。フランジ構造１８、２０、２２はパッケージ要素が配置されるパレットの立体構造と適合し、パレット上に要素を保持するためのさらなる固定手段を提供する。
【００３６】
前述のように、プラットホームの第１の部分１４ａは基本的に半球状の凹部２４を含みコンタクトレンズ（図示していない）の曲面形状と一般に適合する。コンタクトレンズは封止した状態で凹部２４に格納されるのに適し、同時にマルチネス（Ｍａｒｔｉｎｅｚ）の米国特許第４，６９１，８２０号に開示されているのと同様の方法で好適な滅菌水溶液に浸漬される。該出願は本発明の譲受人に譲渡され、これの開示は本明細書において参考として含めてある。プラットホーム部分１２から外向きかつ下向きに下降する壁部分１８の直立部分はパッケージ要素の自動整列を提供する上で凹部２４の高さまたは深さと等しい。
【００３７】
凹部２４は以下で関連する図面を参照してさらに完全に説明する脱イオン水排出アセンブリにおいて脱イオン水の排出中に凹部２４の中央部にコンタクトレンズを保持することの補助に用いられる複数の小さな把持刻印２６も含む。
【００３８】
凹部２４の外周は持ち上がった円環状のリム２８を含み、商業的分配のためにコンタクトレンズとパッケージ要素を気密的に封止する箔封止アセンブリにおいて箔ラベルの熱封止の効率を高めるために設けてある。切り欠き３０は消費者が箔ラップを剥して中に含まれるレンズに到達し使用する際に箔ラップの把持を容易にするために用いる。
【００３９】
図２を参照すると、パッケージ要素が脱イオン水注入アセンブリへ搬送され、レンズ搬送アセンブリ、レンズ検査アセンブリ、脱イオン水排出アセンブリを介してレンズ搬送アセンブリへ搬送される検査パレットが斜視図で図示してある。パレット４０はパッケージ要素１０の凹部２４の下側を受け入れる形状の空洞４６の第１と第２の平行な列４２、４４を含む。空洞の平行な列４２、４４は２つの壁部分５０ａ、５０ｂにより形成されたチャンネル４８で分離されている。列４４に対応する壁は下向きかつ外向きに下降し、傾斜角度はそれぞれのパッケージ要素１０の下降する壁部分１８を平坦に受け入れるように特に設定してある。列４２の外側エッジ５４は列４４に配置されたパッケージ要素１０の壁部分１８を受け入れるように同様の傾斜が持たせてある。
【００４０】
パレットにはパッケージ要素の位置決めフランジ２０、２２を受け入れるための一対の細長い切り欠き５６、５８が設けてある。細長い切り欠き５６、５８はパレットを挙上、回転、搬送する搬送手段のための明確な把持表面を提供する。さらに、パレット４０は側方エッジでパッケージ要素と係合する位置決めピン５２を含む。位置決めピン５２はパッケージ要素１０のノッチ１６ａ、１６ｂに係合し、特にパレットの長軸に対して位置合わせにおいてさらなる精度を提供する。それぞれが対応するパッケージ要素の特徴に結合する傾斜した壁部５０ｂ、５４、溝５６、５８、位置決めピン５２の組み合わせは斜め回転に対して確実にするための特に効果的な手段を提供する。
【００４１】
検査パレット１０には３つの位置合わせ開口部６０がパレット４０のいずれかの側面に設けてあり、本発明のアセンブリに関連した手段においてパレットを所定位置にこれの動作中に搬送し固定するために使用する。
【００４２】
図２において示唆されるように、パッケージ要素１０は１６個の組で製造され所定の配列、典型的には２×８にパレット４０上に配置されている。パレットとパッケージはコンベアライン経由で脱イオン水注入アセンブリへ２個一組として４×８の配列を形成する方向に向けて搬送される。
【００４３】
図３および図４を参照すると、脱イオン水注入アセンブリ１００が正面図と側面図で図示してある。アセンブリ１００は４つの独立した要素を含む。水供給ヘッド１１０、一組の協働して縦方向に向けたストップ１２０ａ、１２０ｂ、パレット位置決め装置１３０、オーバーフロー排水ユニット１４０である。水供給ヘッド１１０はコンベアライン１０２とその上のパレット４０に対して上下移動する。一組の協働して縦方向に向けたストップ１２０ａ、１２０ｂは前進するパレット４０を停止させるためと、一対のパレットをサイクルごとに供給するために用いる。パレット位置決め装置１３０は前進するパレット４０の対を受け入れ、装置自体とパレットを水平方向に第１の注水位置まで前進し、次に第２の注水位置へ移動する。第２の位置の後でパッケージが充填されると、パレット位置決め装置１３０は縦方向に移動してパレット４０をコンベアライン１０２に沿って前進させることができる。パレット位置決め装置１３０は次の前進するパレット４０の組を受け入れる位置まで往復運動して戻る。オーバーフロー排水ユニット１４０はコンベアラインの直下に配置され、パレット位置決め装置１３０と垂直方向に整列し、供給装置からの排水を受け止める。
【００４４】
図３に図示してあるように、一組の協働して縦方向に向けたストップ１２０ａ、１２０ｂがパレット４０を秤量前に前進する。一組の協働して縦方向に向けたストップ１２０ａ、１２０ｂのそれぞれはコンベアライン１０２の移動軸に対して直交する正面の１つを有する縦方向に位置合わせしたプレート１２２を含む。プレート１２２はピストン／シリンダ１２４に接続され、これの選択的な垂直動作でプレート１２２がコンベアライン１０２に沿って前進するパレット４０の列に前進する。
【００４５】
図３および図４に図示してあるように、水供給ヘッド１１０は水平方向に配置された往復運動する支持プレート１１２を含む。支持プレート１１２は４×４の行列に配置した１６個の孔を有する。支持プレート１１２の上部は１６個の可撓性ホース１１４、たとえばタイゴン配管またはその他の液体用導管、の組を受け入れ、脱イオン水を支持プレート１１２の底部から下向きに延出し正確な量の脱イオン水を供給するのに特に適している１６個一組の細長いテフロンチューブ１１８に供給する。一般に分注サイクルの不用意な時刻にここから落下するような大きな水滴として水がテフロン表面に付着しないのでこのような使用にテフロンは特に望ましい材料である。
【００４６】
支持プレート１１２は１１１へ側方エッジで結合し、さらに完全に説明する所定の脱イオン水分注サイクルにしたがって水供給ヘッド１１０（およびテフロンチューブ１１８）を上下させるように作動することができる。
【００４７】
コンベアラインの下に、排出サイクルまたはサイクル誤供給の間に分注器から放出される過剰な水を受け止めるように配置してあるオーバーフロー排水ユニット１４０がパレット位置決め装置１３０と垂直方向に整列してある。排水ユニットは傾斜した基部を有する水盤を含み、漏斗状の形状を形成し、ここの水を基部の孔１４４に送り込む。孔１４４は排水管１４６に接続してあり、排水をアセンブリから離れた場所へ輸送する。
【００４８】
脱イオン水注入アセンブリ１００の第４の要素はパレット位置決め装置１３０を含む。この要素は一対の前進するパレット４０を受け入れ、第１にこれを水供給ヘッド１１０の直下の位置に第１の位置で保持してパッケージ要素の第１の１６個の凹部２４が脱イオン水で充填できるようにする。第１の１６個の凹部２４が充填されると、パレット位置決め装置１３０は水平方向に第２の位置まで移動し、パレット４０を第２の位置で水供給ヘッド１１０の直下に再配置する。この位置で一対のパレット４０の第２の１６個の凹部４０は一定量の脱イオン水を受け入れる。分注の第２段階が行なわれると、位置決め装置はパレットを開放し、上昇してパレットをこれの下で前進させ、パレット受け入れ位置（第１の位置）まで往復運動して戻る。
【００４９】
パレット位置決め装置１３０の要素に関してさらに詳しくは、位置決め装置は一対の離れたアーム１３１、１３２を含み、これがコンベアライン１０２を横方向に交差して延出し、理想的にはコンベアライン１０２を前進するパレット４０の対を受け入れ保持するような間隔とする。アーム１３１、１３２は第３の横方向の端部１３３において垂直方向を向いたピストン／シリンダ１３４に接続されており、ピストン／シリンダ１３４が分注サイクルのタイミングに合わせてアーム１３２を上下させる。
【００５０】
垂直方向に向けたピストン／シリンダ１３４に加えて、アーム１３１、１３２は細長いスパー部材１３５と水平方向に配置したピストン／シリンダ１３６を介して相互に接続される。ピストン／シリンダ１３６の作動によりアーム１３１、１３２は互いに対して移動する。より詳しくは、アーム１３１は分注ヘッドの前方に配置されており、コンベアライン１０２の動く方向に対して分注ヘッドから上手側にあり、もう一方のアーム１３２が水供給ヘッド１１０から下手側に離れるように動いても停止したままで、パレット４０の対を第２の分注位置へ移動させる。
【００５１】
動作においてアセンブリ全体は所定のタイミングスケジュールにしたがって機能し、パレット４０の対のコンベアライン１０２に沿ったアセンブリへ向かう前進から始まる。一対のパレット４０が一組の協働して縦方向に向けたストップ１２０ａ、１２０ｂの第１を通過すると、プレート１２２が持ち上がり、さらなるパレット４０が分注位置へ入るのを制限する。
【００５２】
２つのパレット４０が第２の協働して縦方向に向けたストップ１２０ｂに達するまで前進し、この点でパレット位置決め装置１３０が第１の分注位置にパレットを保持する位置へ下降する。脱イオン水をテフロンチューブ１１８経由でパレットの第１の１６個の凹部２４へ注入する。水を注入すると、縦方向のストップ１２０ｂが後退して、パレット位置決め装置１３０の水平方向に向けたピストン／シリンダ１３６が作動し、これによってパレット４０を第２の分注位置に配置する。第２の組の１６個の凹部２４に脱イオン水を充填したら、アーム１３１、１３２が垂直方向に向けたピストン／シリンダ１３４により持ち上げられ、水平方向に向けたピストン／シリンダ１３６が後退する。
【００５３】
第１のパレット４０の対がアセンブリ１００を通過すると、垂直ストップ１２０ａが下降して次のパレットの対が分注部に入れるようにし、第２の組の垂直ストップ１２０ｂが上昇する。第２の対のパレットが前進してから、垂直ストップ１２０ａが持ち上がり次のパレット４０が入るのを停止させ、サイクルを繰り返す。
【００５４】
パッケージ要素１０のそれぞれが一定量の脱イオン水を受け入れると、パッケージ要素とパレットはコンベアラインに沿ってレンズ組み込み位置へ搬送されここでそれぞれの凹部２４が後述するような組み込みアセンブリによってコンタクトレンズを受け入れる。
【００５５】
［レンズ搬送および検査アセンブリ］
図５を参照すると、コンタクトレンズ水和パレット２００が上面図で図示してあり、破線は水和パレットの内部構造に対応している。コンタクトレンズ水和パレット２００は３２個の半球形の凹部２０２を含み、本発明の譲受人に同様に譲渡される「ソフトコンタクトレンズを水和するための自動化方法ならびにその装置」と題する米国特許出願第０８／２５８５５６号にさらに完全に開示されているように一連の取り出しステーションを経由してコンタクトレンズが搬送される。
【００５６】
コンタクトレンズ水和パレット２００はパレットの上部表面から上向きに延出する複数の導管２０６を有する。これらの複数の導管２０６は内部分岐導管２０８を経由して小さな孔２０４に接続してあり、これの１つがそれぞれの半球形の凹部２０２の底部に、これの底部で配置される。孔２０４は外部供給とガスおよび／または液体の流動的連通において接続され、液体またはガスを半球形の凹部２０２の表面とそこに配置してあるレンズの間に選択的に導入することができる。ガスまたは液体の孔２０４を介した選択的導入はレンズを上向きに推進し、それぞれが後述するようにレンズ搬送アセンブリのフィンガ要素の対応する凸レンズアタッチメント表面に張り付けるようにするために使用する。
【００５７】
図６、図７、図８を参照すると、コンタクトレンズ搬送アセンブリ２１０がそれぞれ側面、上面、斜視図で図示してある。コンタクトレンズ搬送アセンブリ２１０は一般にヘッド要素２４０と２重軸の直線移動取り付けユニット２２０とを含む。第１に、２重軸の直線移動取り付けユニット２２０に関して、取り付けブラケット２２２が下側の水平表面２２２ａでヘッド要素２４０に接続される。取り付けブラケット２２２は基板要素２２４に取り付けられ、この関連において取り付けブラケット２２２は垂直方向に向けた移動機構を用いて上下することができる。関節ロボットを含む各種手段を取り付けブラケット２２２の上下に使用できることは理解されよう。しかし、好適な機構は位置の間でヘッドを往復移動させるためのＩＫＯボールねじ駆動システムを含む。
【００５８】
図８に図示してあるように、基板要素２２４は水平トラック２２６に取り付けてあり、これに沿って動力手段の動作に合わせて移動する。図８において、動力手段２２８はボールねじ駆動であるように図示してあるが、同等の機能を提供するために各種の別の移動手段を使用できることが理解されよう。たとえば、移動手段は油圧または空気圧ピストン／シリンダ装置を含むことができ、またはラックアームアセンブリを含むことができる。ボールねじは精度、機械的単純さ、長期的運用性、効率の面で好適である。
【００５９】
ヘッド要素２４０に関して、結合要素２４２が上端で取り付けブラケット２２２の下側表面に固定してある。結合要素２４２の下端は一対の案内プレート２４４に取り付け、これはクロスバー２４６により互いに離れたまま平行に保持されている。互いに離れた関係でクロスバー２４６に摺動自在に取り付けてあるのは一組の４本の水平支持ビーム２４８である。水平支持ビーム２４８は適切な位置合わせにしたがって互いに引き込まれるまたは離れることができるようにクロスバー２４６に摺動自在に取り付けられている。
【００６０】
水平支持ビーム２４８ａ〜ｄが互いに移動できるようにする手段が一対のピストン／シリンダ２５０、２５２により提供される。図７の実施例では、第１のピストン／シリンダ２５０は２本の内側ビーム２４８ｂ、ｃに接続し、第２のピストン／シリンダ２５２は２本の外側ビーム２４８ａ、ｄに接続する。図７に図示してあるように、第２のピストン／シリンダ２５２は外側ビームの一方２４８ａのブラケット２５４へ直接溶接してあり、第２のピストン／シリンダ２５２を外側ビーム２４８ｄに取り付けられたブラケット２６０へ結合する連結プレート２５６へ溶接してある。第１のピストン／シリンダ２５０はブラケット２６２ａ、２６２ｂに直接連結してあり、さらにこれが２本の内側ビーム２４８ｂ、ｃへ溶接してある。
【００６１】
それぞれの水平支持ビーム２４８ａ〜ｄから下向きに延出しているのは複数のフィンガ要素２６４で、これにレンズが移動中に貼り付く。好適実施例においては３２本のフィンガ２６４があり、４本のビームにビーム当たり８フィンガの４×８配列で取り付けてあり、これがコンタクトレンズ水和パレット２００の３２個の半球形の凹部２０２に対応する。第１と第２のピストン／シリンダ２５０、２５２の選択的作動でビームが互いに移動し、フィンガ要素２６４の相対的間隔を変更する。
【００６２】
図９を参照すると、フィンガ要素２６４の側面図が提供されている。フィンガ要素２６４は凸レンズアタッチメント表面２６６を有する細長い形状を含み、表面２６６の湾曲は一般にコンタクトレンズの凹面の曲率に対応する。中心部の孔２６８はフィンガ２６４を通り上部２７０からレンズ搬送表面２６６に延出している。この孔２６８はここを通る液体の選択的排出のために含めてあり、該液体は脱イオン水であり、対応するパレット４０へのレンズの配置に関して後述する。
【００６３】
各フィンガ２６４の端部はフィンガ２６４の一般に円筒状の軸部分２７４からレンズ搬送表面２６６の湾曲した形状を分離する円環状にスロットのあるスカート２７２を含む。このスロットのあるスカート２７２は垂直方向に向いたスロット２７２ａとスカート要素２７２ｂを交互に含み、アタッチメント表面２６６にレンズを保持するのを助け摺動するまたは所望の位置から移動するのを防止する。垂直方向に整列したスロット２７２ａは、レンズ搬送表面で上向きに流れる液体またはガスが円滑に流れるようなチャンネルを提供するように設計されている。スカート要素２７２ｂは前記液体またはガスが表面に流れるときにレンズ搬送表面からコンタクトレンズが滑り落ちるのを防止する。
【００６４】
円環状の取り付けディスク２７１が先端２６６から離れた位置でフィンガ２６４の円筒状の軸の周囲に配置してある。取り付けディスク２７１は対応する水平支持ビーム２４８の上側または下側表面に結合し、フィンガ２６４の上部がレンズ搬送表面２６６が下向きに延出することで脱イオン水等の液体の外部供給に接続される。いずれの場合にも、フィンガ２６４の上部２７０は好ましくは可撓性に成して、空気または脱イオン水等の流体を所定のアセンブリの運転に合わせて中心部の孔２６８へ選択的に供給できるようにチューブ２７３に接続する。
【００６５】
図８に図示したように、動作において水和パレットはコンタクトレンズ搬送アセンブリ２１０の直下の位置へレンズ搬送ライン２７５に沿って前進する。２重軸の直線移動取り付けユニット２２０がヘッド要素２４０を下げ、フィンガ２６４のレンズ搬送表面がパレットの半球形の凹部２０２の直上に配置される。所定位置につくと、一定量の空気をプレートの導管２０６、２０８経由で吹き付ける。空気はコンタクトレンズを凹部２０２から浮かせてフィンガ２６４のレンズ取り付け表面２６６に位置させる。コンタクトレンズ搬送アセンブリ２１０に到着する前に幾つかの取り出しステーションを経由してレンズがパレットに搬送されると、レンズとパレットの凹部２０２は脱イオン水が残留している。脱イオン水はレンズが表面張力によってフィンガ２６４の表面２６６に貼り付くのを支援する。レンズは湾曲したレンズアタッチメント表面２６６に追加の界面活性剤ありまたはなしで貼り付くが、界面活性剤を追加してさらに効果的に表面を濡らし脱イオン水の表面張力と周辺の大気圧によりレンズの付着を促進することができる。搬送において、レンズの１．５ミリ以内にフィンガチップ２６６のそれぞれを配置して直接かつ正確な搬送を確保するのが望ましい。
【００６６】
場合によっては、レンズの外側表面は付着した脱イオン水中に気泡を有することがある。気泡が残存していると、また溶解されないと、または何らかの方法でレンズから除去されないと、レンズの光学的正確度の後続の検査を妥協することになる。脱気イオン化水を水和装置で用いて気泡の形成を最小限にし、またヘッド要素２４０とフィンガ２６４が上昇したときにレンズの表面から気泡が除去されるようにし、取り付けアセンブリが水和コンベアライン２７５とパッケージ要素パレットライン１０２の間に配置した消泡ユニット２８０に搬送する。
【００６７】
図１０を参照すると、レンズを搬送するフィンガ２６４と消泡ユニット２８０の凹部２８２の断面図が図示してある。消泡ユニット２８０は凹部２８２の一定の配列を有するプレート２８４を含む。凹部２８２の一定配列はヘッド要素２４０のフィンガ２６４の間隔に適合するように設計してある。凹部２８２の基部は貫通孔２８６を含み、これが空気供給手段へ下向きに延出する導管２８８の開口部を形成する。導管を経由した空気の選択的排出はフィンガ２６４のレンズアタッチメント表面２６６に貼り付いているレンズに向けられる。空気ジェットによってレンズがレンズアタッチメント表面２６６を移動するが、スロットのあるスカート２７２が中心位置から１つのレンズ半径の一部より大きな摺動を防止する。ジェットはレンズ表面から気泡を除去し、検査工程でこのような気泡をレンズ自体の製造エラーとして誤認することはない。
【００６８】
気泡除去工程を実行したら、ピストン／シリンダ２５０、２５２が作動して水平支持ビーム２４８を持ち上げる。水平支持ビーム２４８に直交するレンズの相対的配置の変化（これによって４列８本のフィンガが互いに接近するが、列内でのフィンガの空間的分離は変更されない）は検査ステーション装置にしたがってパレット４０上のパッケージ要素の配置が設定され、一体成型または水和中のレンズの相対間隔とは同じではないことから必要である。
【００６９】
ピストン／シリンダ２５０、２５２がフィンガ２６４とその上のレンズを適正な配置の配列に設定すると、水平方向に向けた移動手段２２８がヘッド要素２４０とレンズをコンベアライン１０２上のパレット４０の上の位置に搬送する。レンズが対応する凹部２０２の上に配置されると、レンズとレンズアタッチメント表面の間の空間へ中心部の孔２６８を経由して、一定量の脱イオン水がフィンガ先端から放出される。脱イオン水の量はレンズの表面への表面張力による貼り付きを破るのに充分なものとしてレンズを水と一緒にパッケージ要素１０へ運ぶ。
【００７０】
コンタクトレンズとレンズパッケージ要素は一対のパレット４０へコンベアライン１０２によって緩衝ステーションである次の処理ステーションへ移動される。レンズ搬送アセンブリのフィンガは開放空間配列に復帰し、ヘッド要素２４０は水和コンベアライン２７５の上の受け入れ位置に往復運動して戻り、次のコンタクトレンズのバッチを待つ。
【００７１】
［緩衝ステーション（分離装置および取りまとめ装置）］
コンタクトレンズ製造工程は大部分がレンズ自体の取り扱い条件で決定される。たとえば、一体成型した製品の取り扱いアセンブリ全部が設計されている最も重要な制約の１つは光学表面に接触すべきではないことである。本発明のアセンブリに多く関連する取り扱い条件はレンズが水和されると１５分以上乾燥状態に放置しておくことが許されないことである。
【００７２】
大半の製造ライン装置に当てはまるように、本発明のアセンブリは、レンズ水和後の装置を形成し、定期的な点検および／または製造に使用する材料の補充を必要とする。たとえば、１次パッケージ処理ステーション（生食水注入装置と箔封止アセンブリ）はパッケージ要素に熱封止される箔材料の定期的な交換を必要とする。しかし他のアセンブリの運転は中断に敏感である。しかし一体成型アセンブリは最適な歩留まり量に重要とされる適切な平衡のための連続運転を維持する必要がある。
【００７３】
幾つかのアセンブリが連続運転できるようにするため、またさらに他の処理ステーションの定期的な点検または補給を提供するため、１つまたはそれ以上の緩衝ステーションが必要である。緩衝ステーションの理想的な位置は水和環境内にレンズがあるような場所でなければならない。本発明の緩衝ステーションはレンズ搬送アセンブリと検査ステーションの間に配置される。
【００７４】
脱イオン水が充填され、コンタクトレンズを載置したパレット４０はそれぞれが２×８の行列を形成する。対にすると、パレットは４×８の行列を形成する。レンズ挿入ステーション（レンズ搬送アセンブリ）において、パレットの対は横向きに進行する。各パレット８個の凹部のカラムで形成された細長い軸はコンベアラインの動く方向に平行である。
【００７５】
図１１、図１２、図１３、図１４を参照すると、分離ユニットと取りまとめユニットをそれぞれ含む緩衝ステーションの斜視図である。図１２に図示してあるように、緩衝ステーションはコンベアラインの第１と第２と第３と第４の部分３０４、３０８、３１２、３１６を含み、それぞれが同じ方向にパレットの移動のために配置される。分離ユニット３２０は第１の部分３０４の後方に配置し、取りまとめユニット３４０は第４の部分３１６の手前に配置する。第２と第３の部分３０８、３１２は互いに並列に走行し、それぞれ分離ユニット３２０で始まり取りまとめユニット３４０で終わる。
【００７６】
緩衝コンベアラインの第１の部分３０４はレンズ搬送コンベアライン１０２に直角に配置され、前述のようにパレットをレンズ搬送アセンブリから進行させる。図１１を特に参照すると、レンズ搬送コンベアライン１０２の終端と緩衝コンベアラインの第１の部分の始まり、およびパレット４０を前者から後者へ移動する横方向パレット搬送ユニット３０６が上面図で図示してある。パレット４０の対がレンズ搬送コンベアライン１０２の端部に達すると案内３００により前進を止められる。パレット４０は圧板３０２によりレンズ搬送コンベアライン１０２から緩衝コンベアラインの第１の部分３０４へ押し出される。
【００７７】
圧板３０２の動きに関してさらに詳しくは、圧板３０２は壁要素３００のむこう側に配置されている摺動要素３０５に動力的に接続されている後側から延出するアーム３０３を含む。前方への摺動要素３０５の選択的動作が圧板３０２の直線的な側方移動を提供し、パレット４０を緩衝コンベアの第１の部分３０４に移動させる。圧板３０５の逆動作で圧板を次のパレット４０の対を受け入れる位置に往復運動する。圧板の適切な動作を提供するような各種の機構を使用できることは理解されよう。例としてはボールねじ駆動、油圧、空気圧、またはピストン／シリンダ要素、または機械的ラック装置がある。
【００７８】
検査パレット４０の対が緩衝ラインの第１の部分３０４に移送されると、パレットは並列の関係から直列の関係に変形されるが、これは部分３０４がレンズ搬送コンベア１０２に直交する方向に向いているためである。緩衝コンベアラインの第２の部分３０８は第１の部分３０４と共直線になっている。形状と機能において脱イオン水注入アセンブリの垂直方向ストップ一組の協働して縦方向に向けたストップ１２０ａ、１２０ｂに類似している垂直ストップ機構３１０ａが分離装置３２０の手前に配置してあり分離装置３２０へ対のパレットの１つだけを進入させる。対の第２のパレットに関しては、分離装置３２０が第２の部分３０８に平行に走行する緩衝コンベアの第３の部分３１２へ搬送する。
【００７９】
緩衝コンベアラインの第２と第３の部分３０８、３１２に配置してある垂直方向のストップ３１０ｂ、３１０ｃは搬送が完了するまでコンベア上のパレット４０の早すぎる前進を防止するように配置してある。
【００８０】
分離装置３２０はそれぞれのパレット４０に相互に一定の間隔を提供し、また製造ラインの後続のアセンブリにおける中断の間にパレット４０のための２重トラック係留ラインを提供する。パレット４０は第２と第３の部分３０８、３１２に沿ってたとえば２０分程度の製造ラインの通常サービス中断の間に製造される個数のパレット４０を格納するのに充分であると決定される距離にわたって延在する並列のラインを形成する。
【００８１】
第２と第３の部分３０８、３１２の遠位端において、取りまとめユニット３４０を設け２つのパレット４０の列を併合し、一定間隔の一列で、緩衝コンベアの第４の部分３１６に沿って、検査ステーションへ、前進できるようにする。さらに、垂直方向のストップ３１０ｄ、３１０ｅをそれぞれ部分３０８、３１２の端部に配置してあり、１つだけのパレット４０が任意の時刻に取りまとめ装置に入るように係合する。
【００８２】
取りまとめ装置３４０は製造ラインの通常運転中は係合したままだが中断が発生した場合にはさらにパレット４０が前進しないように分離する。この時間の間、レンズ搬送アセンブリから前進を続けるパレット４０は緩衝コンベアの第２と第３の部分３０８、３１２に平行ラインで保管される。中断が終了すると、取りまとめ装置３４０が再度係合して保管してあったパレットを連続する列に併合する。最後の垂直ストップ３１０ｆは取りまとめ装置３４０の出口に配置して動力コンベアの早すぎる前進または撚れを防止し、また検査ステーションに入るときに第４の部分３１６のパレット４０の間の間隔を開けることができる。
【００８３】
図１３を特に参照すると、分離ユニットの斜視図が図示してあり、分離装置３２０の特徴と機能に特に注意を向ける。逆Ｌ字状の部材である筐体３２１がコンベアラインの側方エッジに第１と第２の部分３０４、３０８の結合点で取り付けてある。Ｌ字状の部材３２１から外側に延出しているのは一対の実質的に平行な案内レール３２３である。レール３２３は緩衝コンベアの第３の部分３１２の外側の横エッジに取り付けてある固定プレート３２７によって受け入れられる。第１の可動プレート３２９は案内レール３２３に摺動自在に取り付けて、第１のプレート３２９の平面が縦方向にコンベア移動方向に平行に揃うようにする。この第１のプレート３２９は第２と第３のコンベア部分３０８、３１２と固定プレート３２７の第２の位置の間の第１の位置から往復運動する。第２の可動プレートも案内レール３２３にまた動力手段（図示していない）に同様に取り付けてあり、第２のコンベア部分３０８の外側横エッジにおける位置から第２と第３の部分３０８、３１２の間の位置へ往復運動できるようになっている。第１と第２のプレート３２９、３３１はパレット４０がこれらの間で、第１の部分３０４から第３の部分３１２へ、案内レール３２３に沿ったプレート３２９、３３１の選択的な往復運動によって移動できるように間隔を開けて維持されている。
【００８４】
動作において、図１３から理解されるように、プレート３２９、３３１の往復運動は第３の部分３１２へ交互にパレットが搬送されるように選択的に制御されている。各種の動力手段および／または結合手段を、プレート３２９、３３１を往復運動させるために使用することができ、たとえば案内レールはねじを含み、これにプレート３２９、３３１を取り付けるのはこれの回転により案内レール３２３に沿って移動するようにナットを含む。別のしかし同等の設計は駆動プレート３３１に結合されこれを往復運動させるＬ字状部材３２１内に取り付けた空気ピストン／シリンダを含む。このような設計において、結合手段、たとえば両方のプレート３２９、３３１へ溶接した固定された棒を駆動プレート３３１の動きにプレート３２９の動きを追従させるために使用しなければならない。
【００８５】
図１４を参照すると、取りまとめユニットの斜視図が図示してあり、取りまとめユニットの特徴と機能の詳細な説明を提供する。分離ユニット３２０と多くの態様で類似し、取りまとめユニットは基本的には逆に動作する同じ装置である。筐体要素３４１は、Ｌ字状で緩衝コンベアの第２の部分３１２の外側横エッジに取り付けてある。筐体部材３４１から外向きに延出し一対の案内レール３４３は緩衝コンベアの第３の部分３１２の外側横エッジに取り付けてある固定プレート３４７に受け入れられる。一組の間隔の開いた可動プレート３４９、３５１はこれらのプレート３４９、３５１の平面がコンベアの移動方向に垂直に平行に整列するように案内レール３４３に摺動自在に取り付けてある。第２の可動プレート３５１は第２のコンベア部分３０８の外側横エッジにある位置から第２と第３の部分３０８、３１２の間の位置へ往復運動できるように動力手段（図示していない）に結合される。第１と第２のプレート３４９、３５１はパレット４０がこれらの間で、第３の部分３１２から第４の部分３１６へ案内レール３４３に沿ってプレート３４９、３５１の選択的な往復運動により搬送されるように間隔を開けた関連において維持される。
【００８６】
動作において、図１４から理解されるように、プレート３４９、３５１は１つが第２の部分３０８から次に１つが第３の部分３１２からの交互のパレットが第４の部分３１６に進むように選択的に制御される。各種の動力手段および／または結合手段をプレート３４９、３５１が一緒に往復運動するように、用いることができ、たとえば案内レール３４３をプレート３４９、３５１の螺子切りした孔にまたはナットに接続自在に螺子切りできる。別のしかし同等の設計は、Ｌ字状部材３４１に取り付け駆動プレート３５１に接続されてこれを往復運動させる空気ピストン／シリンダを含む。このような設計において、結合手段、たとえば両方のプレート３４９、３５１に取り付けられた固定された棒を駆動プレート３５１の動きにプレート３４９の動きを追従させるために使用しなければならない。
【００８７】
［低振動レンズパッケージ搬送アセンブリ、検査アセンブリ、排水アセンブリ］図１５は、本発明の略上面図である。図示してあるように、レンズ搬送部２９９は、レンズが検査パレット４０のパッケージ要素に搬送され、緩衝ステーション３９９に順に後続している。緩衝ステーションを進んできたパレットはコンベア部４９９を通って検査ステーション５９９へ、後述するような低振動コンベアアセンブリによって搬送される。
【００８８】
図１６はコンベア３１６から検査ステーションへ検査パレットを搬送する低振動搬送アセンブリの斜視図である。パレット４０が緩衝アセンブリの取りまとめユニットを通り緩衝コンベアの第４の部分を通過して来ると、すでに説明した図１２において図示してあるようなステージ領域３２５に搬送される。このステージ領域３２５において、オーバヘッド２軸搬送キャリアが往復運動し、１つのパレット４０をとり上げて図１６に図示してあるように自動レンズ検査ステーションへ搬送する。オーバヘッド搬送は２軸ハウザー搬送機構であり、水和後のラインの残りから自動レンズ検査システムを分離するために使用している。
【００８９】
レンズと脱イオン水の振動をこれの搬送中に、検査ライン全体を通して最小限にして波がたたないようにすることが重要で、波は光学的なゆがみを発生させ、結果としてレンズ品質の誤認を発生させる。２軸搬送機構を使用することにより、パレットは自動レンズ検査システムへやさしく搬送することができ、これによって検査結果に悪影響を及ぼし兼ねないような振動を回避する。
【００９０】
第１のパレットをステージ領域から持ち上げた後、次のパレットがステージ領域に前進して検査ラインコンベア上へ搬送される。２軸搬送機構はパレットが任意の速度と間隔で検査ラインに進む緩衝コンベアからパレットを搬送し、ここで振動を避けるためにパレットの速度は実質的に遅くなる。したがって検査コンベア上のパレットの間隔は実質的に互いに接近することが必要で検査コンベアが任意の時間に同数のパレットに対応できるようにする。
【００９１】
低振動パレット搬送アセンブリ４００は対応するブロック４０４ａ、４０４ｂに、互いに間隔を開けた関連において取り付けられた一対のパレット把持プレート４０２ａ、４０２ｂを含む。把持プレート４０２ａの１つはこれのブロック４０４ａに摺動自在に取り付けて（ブロック４０４ａに内蔵される）延長機構の選択的な作動で２つの把持プレート４０２ａ、４０２ｂの間の間隔が広がるまたは減少するようにする。ブロック４０４ａ、４０４ｂは基板要素４０８に摺動自在に取り付けてある共通の壁要素４０６に取り付けてある。第２の動力機構（これも図示していない）は基板要素４０８内部に設置し壁４０６が選択的に上下できるように共通の壁４０６に接続される。基板要素４０８は移動手段を有する水平トラック４１０に取り付けてアセンブリ全体がステージ領域３２５の上の位置から検査ステーションコンベアライン４２０へ往復運動する。
【００９２】
動作において、低振動パレット搬送アセンブリ４００はパレット４０を受け入れるためにステージ領域３２５に往復運動する。共通プレート４０６が下降し、これによってパレット把持プレート４０２ａ、４０２ｂをパレット４０の横エッジに隣接配置する。ブロック４０２ａ内部の動力要素を作動してプレートを狭めパレット４０とプレート４０２ａ、４０２ｂの内側表面を当接させる。パレットが横プレート４０２ａ、４０２ｂによって固定的に把持されたら、共通の壁４０６が上昇し、パレットは緩衝コンベアラインの第４の部分３１６に直角に配置されている検査ステーションコンベアラインに搬送される。検査コンベアライン４２０の上の所定位置にあるとき、パレット４０がライン上に下ろされプレートを拡げる機構の作動により開放される。パレットは検査ステーションへ搬送される。パレットが搬送されると低振動レンズ搬送アセンブリ４００が上昇しステージ領域３２５へ往復運動して戻り、次のパレットを受け入れる。
【００９３】
自動レンズ検査システムにおいて、検査パレット４０は光パルスがレンズパッケージとコンタクトレンズを通して照射されカメラに合焦してその下のレンズの画像を生成するとシステムを通って搬送される。好ましくは、カメラは画素アレイを含み、それぞれがそれぞれ１つのその画素に入射した光の強度に比例した、または表わす電気信号を生成する。これらの電気信号は次にデジタル的に処理してレンズが民生用に受け入れられるかを決定する。画素アレイからの電気信号を処理するまたは分析するための好適な手順は「自動レンズ検査システム」と題し本明細書に開示を参照として含めている同時出願の米国特許出願第９９３７５６号および９９５２８１号に開示されている。別のシステムを使用してパレットに担持した１６個のレンズを検査する。最後のレンズのバンクについて試験を完了したあと、自動レンズ検査システムは視覚検査結果を有するデータブロックをパッケージするためにレンズを集めるために使用するプログラマブル論理制御装置に送信する。この情報をレンズパッケージ搬送アセンブリが後述するように使用する。
【００９４】
レンズを自動レンズ検査システムで検査したあと、パレットは第２の２軸オーバヘッド搬送装置により持ち上げられて脱イオン水排水ステーションへ搬送するためのコンベアに載せられる（図１５では排水ステーション６９９）。脱イオン水は、「溶液除去ノズル」と題する本明細書で開示を参照に含めている米国特許出願第０８／９９９，２３４号に説明されているような特に設計したノズルによって除去する。前述したように、脱イオン水はパッケージキャリア内で検査工程の間にレンズを中心に位置させるために使用しているが、緩衝生理食塩水を最終パッケージで正確に秤量できるようにするためパッケージ化するまえに除去し、本明細書では以下で詳細に説明する。
【００９５】
脱イオン水の除去後、レンズ、パッケージキャリア、検査パレットはレンズ搬送アセンブリに搬送されパッケージ要素とレンズがここから取り出され、光学的に不正確なレンズパッケージ（検査ステーションで決定した通り）を不良レンズとしてコンベアに載せ、正確なレンズパッケージを良品コンベアに載置する。
【００９６】
［第１の回転レンズパッケージ搬送アセンブリ］
図１７を参照すると、レンズ搬送アセンブリが斜視図で図示してあり、該装置は脱イオン水を除去したレンズパッケージのパレットの上の位置にある。アセンブリ５００は往復運動し縦軸５０４の下端で接続した支持５０２を含む。軸５０４は、上端で回転手段５０６に接続し、軸５０４と支持５０２はパレット４０の所定の配置またはレンズパッケージが載置されているコンベア（図１８参照）の方向に合わせて９０度選択的に回転できる。回転手段５０６は、たとえば９０度回転に対応するストップを有する空気シリンダを含めて直交する２つの方向の間で軸が往復運動できるようにすることができることは理解されよう。
【００９７】
回転手段５０６は取り付けプラットホーム５０１内部に配置し、これが２軸搬送サブアセンブリ（これの水平トラックが図１７で要素５０３として認識される）に接続してある。２軸搬送サブアセンブリは第１の位置から第２の位置へ、たとえば排水コンベアラインの上の位置から取りまとめコンベアラインの上の位置へ（図１８を参照してさらに完全に説明する）支持５０２を移動できる。
【００９８】
支持５０２から下向きに延出しているのは一般にだ円形の形状を有する一組の弾力性の懸垂フィンガ５０８である。フィンガ５０８はそれぞれがフィンガ全長に延在する中心容積への入り口を形成する下端にある開口チップ５１０を有している。フィンガ５０８の上端は真空チューブ５１２に接続してありフィンガの中心容積が真空供給源（図示していない）に個別に接続されたチューブ５１２へ封止したガス流の関係にあるようにする。各チューブは別々に弁制御され、弁は検査ステーションからどのレンズパッケージが正確なレンズを含むかに関して受信した信号にしたがってプロセッサにより独立制御される。真空供給源の選択的作動はしたがってフィンガ５０８のチップ５１０で低圧吸引を提供する。この低圧吸引を用いる場合、フィンガのチップ５１０は平坦な表面におかれ、これによって中心容積を封止し平坦な表面をフィンガ５０８に固定する。
【００９９】
動作において、脱イオン水を排水したレンズパッケージを有するパレット４０が第一の位置へ搬送され、レンズパッケージは第１の回転するレンズ搬送アセンブリ５００のフィンガ５０８と実質的に整列される。フィンガ５０８はパッケージ要素の平坦な表面部分４６ｂにチップ５１０が当接するまで下向きに移動し、これとの間に封止界面を形成する。各フィンガ５０８の真空引きを制御する弁の選択的作動でパッケージ要素とレンズをパレットから持ち上げる。レンズパッケージ全部がパレット４０から取り出され、弁の後続の作動を用いて不正確に一体成型されたレンズを別の、不良コンベアに載置しまた光学的に正確なレンズを良品コンベアに載置し、または別の実施例において、良品レンズだけを搬送し、破棄されるレンズは別の手段で検査パレットから後で取り出す。この方法を用いて搬送装置のサイクル時間を増加（短縮）することができる。
【０１００】
適切なレンズパッケージがパレット４０から取り出されたら、岐管５０２とフィンガ５０８は同時に上向きに横方向に２軸搬送サブアセンブリによって往復運動しながら回転手段５０６によって９０度回転される。フィンガ５０８は取りまとめコンベアの上に再配置され、この点でレンズパッケージを保持しているフィンガ５０８内部の真空を解除し、レンズパッケージをコンベア上に載置する。
【０１０１】
光学的に正確なレンズパッケージが載置されると、アセンブリ５００は次の検査パレット４０からレンズパッケージの新しい組を取り出すために往復運動して戻る。
【０１０２】
［取りまとめコンベアと第２の回転レンズパッケージ搬送アセンブリ］
第１の回転レンズパッケージ搬送アセンブリ５００が光学的に正確なレンズパッケージを取りまとめコンベア６０２に図１８に図示してあるように載置する。取りまとめコンベア６０２はベルト形式の動力表面６０４を含み、２列のレンズパッケージを搬送する。コンベア表面６０４は案内壁６０６により平行な長手方向のチャンネル６０５に分割される。図１８に図示してあるように、レンズパッケージの列は載置された時点で表面６０４に均等に分散していないことがある。
【０１０３】
レンズパッケージは移動自在なゲート要素６１０に先頭のパッケージが当接するまでコンベアに沿って搬送される。ゲート要素６１０はチャンネル６０５のそれぞれの先頭のレンズパッケージの連続した搬送を妨げる。先頭のレンズパッケージの前進が止められることで、後続するパッケージが先頭パッケージに当接し、ここにおいて等間隔の配列にまとめられる。センサーブロックをコンベア表面６０４の上で、ゲート要素６１０より上手側の場所に配置する。さらなるセンサーを搬送位置６０９で特定のレンズパッケージの個数が整列されるような距離に配置することができる。たとえば、図１６に図示した実施例において壁要素６０８とセンサー要素６１０の間に位置しているレンズパッケージの配列は２×５である。ゲート要素６１０は２×５配列が搬送位置で完成するのに必要な正しい個数のレンズパッケージだけの制御された流れを提供する。
【０１０４】
図２０も参照すると、第２の回転レンズパッケージ搬送アセンブリ６５０の斜視図が図示してある。レンズパッケージの２×５配列全体がこの搬送位置６０９に載置されると、第２の回転レンズパッケージ搬送アセンブリ６５０は、配列を取り出し、回転させ、レンズパッケージを生食水注入装置と箔封止アセンブリのパレットへ搬送する、一組の吸引フィンガを下降させる。
【０１０５】
第２の回転レンズパッケージ搬送アセンブリに関してさらに詳しくは、アセンブリは第１のレンズ搬送アセンブリ５００に多くの態様で類似している特徴を含む。アセンブリは回転軸６５４の下端に取り付けてある支持６５２を含む。軸６５４の上端は水平面内で９０度にわたり支持を回転させる回転手段（図示していない）に接続してある。支持６５２から下向きに延出しているのは一定間隔のフィンガ６５８の配列で、これのチップ６６０は中空になっておりここを通して真空引きを行なうことができる。この真空を用いて搬送中にレンズパッケージ要素を固定的に保持する。フィンガ６５８は真空引きが行なえるように導管を形成するように中空になっており、フィンガチップ６６０に真空圧力を供給する目的で支持６５２においてチューブ６６２に接続している。
【０１０６】
回転軸６５４は、回転手段を介して、取り付けプラットホーム６５１に接続してある。取り付けプラットホームは、２軸動力手段に取り付けてある（トラック６５３は取り付けプラットホームが移動する水平軸部材を含む）。動作においてアセンブリは取りまとめコンベア６０２の上で、搬送位置６０９に、レンズパッケージが取りまとめられると配置される。センサー要素がレンズパッケージの２×５配列全部が形成されたと決定したら、岐管６５２とフィンガ６５８が２軸動力手段により下降される。レンズパッケージが接触するとフィンガチップ６６０で真空引きを行ない、レンズパッケージの固定把持が維持されるようにする。岐管６５２とフィンガ６５８が上昇し、回転し、次のアセンブリのパレット列の上の位置へと移動する。
【０１０７】
第１の回転レンズパッケージ搬送アセンブリ５００と同様に、回転手段と２軸動力手段は、それぞれ、９０度のストップを備えた空気シリンダと一対の直交するＩＫＯボールねじ機構を含むのが好ましい。
【０１０８】
［生理食塩水注入装置および箔封止アセンブリ］
図２０と、図２１と、図２２２をここで参照すると、生理食塩水注入装置および箔封止アセンブリ７００が各種斜視図で図示してある。図２０は複数のパレット７０４が間隔を開けて配置されているコンベアループ７０２を含むアセンブリの模式的な装置の配置である。パレット列は間欠的に駆動されて、パレットがコンベア７０２に沿って順番に間隔をとってある各種サブアセンブリで停止するようにしてある。
【０１０９】
生理食塩水と熱封止カバーをそれまで封止されていないレンズパッケージに提供するように協働する関連のアセンブリとサブアセンブリは、コンベア７０４の前方に配置してある第２の回転レンズパッケージ搬送アセンブリ６５０と、コンベアの前方に隣接して搬送アセンブリ６５０から短距離下手側に配置してある生理食塩水注入装置サブアセンブリと、印刷装置から箔を受け取る箔取り出し配置ユニット７７７と、箔をパッケージに封止する熱封止ユニット７８０とを含む。
【０１１０】
固定したパレット７０４のそれぞれは個別のレンズパッケージの２×５配列を支持するように特に設計されている。しかしこのアセンブリの別の実施例が第２のレンズパッケージ搬送アセンブリ６５０のフィンガの本数と取りまとめコンベアの搬送位置６０９の寸法にしたがって、異なる列の数と各列の異なるパッケージの個数に対応するように設計できることは理解されるべきである。
【０１１１】
特に図２２を参照すると、生理食塩水注入装置サブアセンブリ７５０において、レンズパッケージは人間の肉眼に対応する張力を有する生理食塩水が充填される。固定パレット７０４がレンズパッケージを載せて水平ビーム７５２の下を前進する。ビーム７５２は側方の端部でコンベアループ７０２に隣接する取り付け基部７５４に接続されている。１×５の分注チューブ７５６の配列がビーム７５２から下向きに延出し、生理食塩水導管７５８によって生理食塩水が供給され、それぞれに独立した秤量ポンプ（図示していない）で供給される。
【０１１２】
パレット７０４が秤量チューブ７５４と整列した位置へ徐々に前進すると、秤量ポンプが作動して正確な量の生理食塩水をパッケージ凹部２４に分注する。それぞれのコンタクトレンズはこれによって完全に生理食塩水に浸漬される。生理食塩水の圧送速度とそれぞれの分注チューブ７５６の直径はパッケージの凹部のどれからも生理食塩水が飛散しないように選択し、円環状のリム２８に飛散した生理食塩水は後続の箔封止動作に干渉することがあるのでこれは非常に重要である。
【０１１３】
光学的確認プローブ（図示指定内）を生理食塩水注入装置サブアセンブリの正面に取り付けてレンズパッケージが前進するパレット７０４に存在していることを確認し、分注チューブ７５６がからのパレットに生理食塩水を分注しないようにすることができる。さらなるセンサーをコンベアに沿って生理食塩水注入装置サブアセンブリ７５０より下手側に同様に取り付けて、正しく測定した量の生理食塩水がそれぞれのレンズパッケージ内に存在することを検出することができる。このような各種のセンサーが利用可能で、「線形パッケージ配列」（代理人整理番号９４０１）と題する同時出願中の米国特許出願第０８／４３１，８９１号に教示されている。たとえば、センサーはオムロンから商業的に入手可能な反射光センサーでもよく、または接近センサーとしたり、またはキーエンス社製２４Ｗ−Ｖ２５Ｒ型光ファイバープローブと２４Ｗ−ＡＡ１Ｃ型増幅器とともに使用するのでも良い。各検出器は各レンズパッケージ内の生理食塩水の正しい高さを調べて確認する。
【０１１４】
図２１と図１９をまた参照すると、後続の箔取り出し配置ステーション７７５において、一対の積層箔のストリップがパッケージ基部の２×５配列に配置され、それぞれの箔ストリップが１×５列のパッケージ要素を被覆する。箔ストリップは最終パッケージに必要とされる全ての識別表示が印刷してある。積層上部カバーシートは、「両面箔印刷」と題する米国特許出願第０８／１０６３８６号（ＶＴＮ−００８９）（代理人整理番号９０１３）の開示による箔ラベリング装置で作成する。箔ラベリング装置は図２１のＦＯＩＬ矢印で示してあるように線形パッケージング装置に直角に延在する。箔ストリップの対をラベリング装置から受け取り箔取り出し配置ユニットによってパッケージ基部の２×５配列のそれぞれ１×５列の上部に載置する。
【０１１５】
任意の機械式切断ステーション７７７はそれぞれの箔ストリップが正しく配置されパレット７０４のレンズパッケージに対して整列するようにそれぞれの箔ストリップを配置する。さらに、後続のカバー有無検出部を用いてそれぞれの箔ストリップの正確な一般位置合わせを確認することができる。
【０１１６】
後続の処理ステーション７８０では箔ストリップがレンズパッケージに熱封止される。さらに詳しくは、加熱ヘッドプレート７８２の長さに沿って間隔を開けて取り付けられ、空気圧シリンダまたはプレス７８４によって支持された、一組の加熱された封止ヘッドは、箔とパッケージ要素の円環状のリム２８が加熱された封止ヘッドとパレット７０４の間で圧着されるように、レンズパッケージに対して箔ストリップを押しつける。
【０１１７】
レンズパッケージ配列上の積層箔ストリップの各シートの外側エッジを調べて箔が正しく正確に位置合わせされレンズパッケージの配列に対して熱封止されているかを確認するための複数の光学検出器プローブを含む最終光学検査ステーション（図示していない）を熱封止ステーション７８０の下手側に配置することができる。
【０１１８】
下手側で一番遠い位置において、複数の真空吸引カップを有するロボットアセンブリ７９０がパレット７０４から封止した１×５のパッケージ配列を取り出して出力位置に搬送する。
【０１１９】
本発明のコンタクトレンズパッケージ要素の水和後の取り扱いのための幾つかのアセンブリと、実施例と、変化を本明細書で詳細に説明したが、本発明の開示ならびに教示は当業者に対して多くの別の設計を示唆することが理解されるべきである。したがって本発明の範囲は特許請求の範囲によってのみ制限されることを意図していると解釈されるべきである。
【０１２０】
好適な態様は以下に記載する通りである。
（Ａ）  水和後にコンタクトレンズ要素を搬送、検査、パッケージするための装置であって、
脱イオン水を複数のパッケージ要素に注入する脱イオン水注入アセンブリと、  前記コンタクトレンズ要素をレンズパレットから第１の位置で受け取り、これを前記パッケージ要素に配置することにより一組のレンズ−パッケージ要素を形成する第１のレンズ搬送アセンブリと、
光学的に前記コンタクトレンズを検査する検査ステーションと、
前記脱イオン水を前記レンズパッケージから排除するための脱イオン水排出アセンブリと、
検査に合格したレンズパッケージの第１の組を検査に不合格のレンズパッケージの第２の組から分離するためと、前記第１の組のレンズパッケージをパッケージステーションへ搬送するための第１のレンズパッケージ搬送手段と、
前記第１の組のレンズパッケージを受け取り一定量の生理食塩水溶液を前記レンズパッケージに注入して、一組のレンズパッケージに箔ラベルを熱封止するように配置した生理食塩水溶液注入装置および箔封止アセンブリと
を含むことを特徴とする装置。
（１）前記パッケージステーションは前記第１の組のレンズパッケージを前記第１のレンズパッケージ搬送アセンブリから受け取り、前記第１の組のレンズパッケージを一定配列に再配置し、前記配列を前記生理食塩水注入装置および箔封止アセンブリへ搬送するための取りまとめコンベアラインをさらに含むことを特徴とする上記態様（Ａ）に記載の装置。
（２）第２のレンズパッケージ搬送アセンブリをさらに含み、該アセンブリは前記第１の組のレンズパッケージの一定配列を前記取りまとめラインから取り出してこれを前記生理食塩水注入装置および箔封止アセンブリへ搬送することを特徴とする上記態様（１）に記載の装置。
（３）前記第２の組のレンズパッケージを離れた破棄回収容器へ搬送するためのレンズパッケージコンベアをさらに含み、前記第１のレンズパッケージ搬送アセンブリは前記第２の組のレンズパッケージを前記レンズパッケージコンベアへ搬送し前記第２の組をそこに載置することを特徴とする上記態様（Ａ）に記載の装置。
（Ｂ）  コンタクトレンズ要素を対応するパッケージ要素に搬送、検査、パッケージするための装置であって、
脱イオン水をパッケージパレットに配置したパッケージ要素に注入する脱イオン水注入アセンブリと、
前記コンタクトレンズ要素をレンズパレットから第１の位置で受け取り、これを前記パッケージ要素に配置することにより一組のレンズ−パッケージ要素を形成する第１のレンズ搬送アセンブリと、
前記レンズパッケージ要素を充填した前記パッケージを一時的に保管することのできる緩衝ステーションと、
前記脱イオン水を前記レンズパッケージから排除するための脱イオン水排出アセンブリと、
前記第１の組のレンズパッケージをパッケージステーションへ搬送するための第１のレンズパッケージ搬送アセンブリと、
前記第１の組のレンズパッケージを受け取り一定量の生理食塩水溶液を前記レンズパッケージに注入して、一組のレンズパッケージに箔ラベルを熱封止するように配置した生理食塩水溶液注入装置および箔封止アセンブリと
を含むことを特徴とする装置。
（４）前記緩衝ステーションは
第１のコンベアラインおよび第２のコンベアラインと、
複数の中間の間隔の空いたコンベア部分と、
前記複数のパッケージパレットを前記第１のコンベアラインから受け取りこれの選択した１つを前記中間の間隔の空いたコンベア部分の対応する１つに搬送するための少なくとも１つの分離機構と、
前記複数のパッケージパレットを前記中間の間隔の空いたコンベア部分のそれぞれから受け取って前記第２のコンベアラインに前記パッケージパレットをまとめるための少なくとも１つの取りまとめ機構と
を含むことを特徴とする上記態様（Ｂ）に記載の装置。
（Ｃ）  水和後にコンタクトレンズ要素を対応するパッケージ要素に搬送、検査、封止するための方法であって、
前記パッケージ要素に脱イオン水を注入する段階と、
前記パッケージ要素に前記レンズを挿入し一組のレンズパッケージ要素を形成する段階と、
前記レンズを検査して前記コンタクトレンズが光学的に正確かまたは光学的に正しくないかを調べる段階と、
前記レンズパッケージから前記脱イオン水を排出する段階と、
前記光学的に正確なコンタクトレンズを光学的に正しくないコンタクトレンズから分離する段階と、
光学的に正確なコンタクトレンズを含む前記レンズパッケージに生理食塩水溶液を注入する段階と、
前記生理食塩水溶液を充填したレンズパッケージに箔ラップを熱封止する段階と
を含むことを特徴とする方法。
（５）光学的に正確ではないレンズを含むレンズパッケージの組を含む前記レンズパッケージを離れた破棄回収手段へ搬送する段階をさらに含むことを特徴とする上記態様（Ｃ）に記載の方法。
【０１２１】
（６）前記レンズを水和パレットから取り出して前記パッケージ要素に前記レンズを挿入する前記段階は、コンタクトレンズの相対的空間分布を変更する段階をさらに含むことを特徴とする上記態様（Ｃ）に記載の方法。
（７）水和パレットから前記レンズを取り出す前記段階は、
それぞれのレンズの下から一定量の空気を吹き付けてレンズ担持手段へ推進する段階
を含むことを特徴とする上記態様（６）に記載の方法。
（８）前記それぞれのレンズの下から一定量の空気を吹き付ける前記段階は前記レンズ表面に付着していることのある気泡を除去する目的でそれぞれのレンズに空気ジェットを送出する段階が後続することを特徴とする上記態様（７）に記載の方法。
（Ｄ）  水和後にコンタクトレンズ要素を対応するパッケージ要素に搬送、検査、封止するための装置であって、
脱イオン水を前記パッケージ要素に注入する脱イオン水注入アセンブリと、
前記コンタクトレンズ要素をレンズパレットから第１の位置で受け取り、前記レンズの空間的関連性を変更して第２の位置に前記レンズを搬送し、前記レンズを前記パッケージ要素に配置することによって一組のレンズパッケージ要素を形成するレンズ搬送アセンブリと、
前記脱イオン水を前記レンズパッケージから排除するための脱イオン水排出アセンブリと、
前記レンズパッケージをパッケージステーションへ搬送するための第１のレンズパッケージ搬送手段と、
前記レンズパッケージを受け取り一定量の生理食塩水溶液を前記レンズパッケージに注入して、前記レンズパッケージの上部表面に箔ラベルを熱封止するように配置した生理食塩水溶液注入装置および箔封止アセンブリと
を含むことを特徴とする装置。
（９）前記レンズ搬送装置は
一組の水平方向の案内レールと、
前記水平方向の案内レールの少なくとも１つに平行に摺動自在に取り付けてある複数のビーム要素と、
少なくとも互いに前記案内レールに沿って前記ビーム要素を往復運動するためにこれに接続してある手段と、
線形配列に配置され前記ビームの少なくとも１つから下向きに延出する複数のフィンガ要素であって、前記フィンガのそれぞれが
上下に端部を有する細長い軸と、
前記軸の前記下端にあってコンタクトレンズを受け取り固定的に保持するためのレンズ搬送表面と、
前記チップに隣接して前記軸に沿って配置してある所定の位置に前記コンタクトレンズを保持するための切れ込みのある円環状のスカートと、
前記取り付けブラケットを少なくとも１つの方向に往復運動させるための移動機構とを含むこと
を含むことを特徴とする上記態様（Ｄ）に記載の装置。
（１０）前記フィンガ要素は前記上端から前記下端に延在し一定量の液体を受け取り選択的に放出するための中心部の孔をさらに含むことを特徴とする上記態様（９）に記載の装置。
【０１２２】
（１１）前記レンズパレットは
複数の凹部を有し、前記凹部のそれぞれは少なくとも１つの孔を有し、該凹部においてコンタクトレンズが載置されるプレートと、
前記プレート内部で前記孔のそれぞれから液体供給源に延在する複数の内部導管であって、これにより前記導管を経由した液体の選択的放出で前記凹部にあるコンタクトレンズが前記レンズ搬送アセンブリへ移動される導管と
を含むことを特徴とする上記態様（Ｄ）に記載の装置。
（１２）前記第２の位置に配置した空気ジェットユニットをさらに含み、前記空気ジェットユニットは
複数の等間隔の凹部を有し前記等間隔は前記フィンガの前記空間的分布に対応するプレートと、
前記凹部のそれぞれにおける少なくとも１つの孔と、
離れた空気タンクから前記凹部のそれぞれの前記孔に延在する導管と、
前記導管を通って前記貫通孔から、前記フィンガの前記レンズ搬送表面に固定されているコンタクトレンズに存在している気泡の除去のため空気を選択的に放出するための空気圧手段と、
をさらに含むことを特徴とする上記態様（９）に記載の装置。
【０１２３】
【発明の効果】
以上のように、本発明によれば、高い歩留まりでコンタクトレンズを検査し、かつ取り扱うための好適な自動装置ならびに自動処理方法を提供することができる。
【図面の簡単な説明】
【図１】コンタクトレンズが挿入され検査中にはレンズの受け皿としてまた１次コンタクトレンズパッケージの一部として用いるパッケージ要素の斜視図である。
【図２】本発明の幾つかのアセンブリと処理ステーションにわたり図１に図示した複数のパッケージ要素を搬送するために使用する検査パレットの斜視図である。
【図３】一定量の脱気脱イオン水をパレット上のパッケージ要素に充填する装置の立面図である。
【図４】一定量の脱気脱イオン水をパレット上のパッケージ要素に充填する装置の側面および正面図である。
【図５】第１の位置において水和し洗浄したレンズが存在している水和パレットの上面図である。
【図６】水和パレットから一体成型したコンタクトレンズを取り出し、これの相対的間隔を変更してパッケージ要素に前記コンタクトレンズを載置するレンズ搬送検査アセンブリの側面図である。
【図７】水和パレットから一体成型したコンタクトレンズを取り出し、これの相対的間隔を変更してパッケージ要素に前記コンタクトレンズを載置するレンズ搬送検査アセンブリの上面図である。
【図８】水和パレットから一体成型したコンタクトレンズを取り出し、これの相対的間隔を変更してパッケージ要素に前記コンタクトレンズを載置するレンズ搬送検査アセンブリの斜視図である。
【図９】レンズが載置されるレンズ搬送検査アセンブリのフィンガ要素の側面図である。
【図１０】コンタクトレンズの外表面から気泡を除去するための気泡除去液体噴射機構の断面図である。
【図１１】干渉コンベアラインへレンズ搬送コンベアラインからパレットの対を搬送するパレット搬送ユニットの上面図である。
【図１２】レンズパッケージユニットを搬送するパレットが送られる緩衝ステーションの斜視図である。
【図１３】緩衝ステーションへの入り口に配置した分離装置の斜視図である。
【図１４】緩衝ステーションの出口に配置してある取りまとめ装置の斜視図である。
【図１５】検査ステーションと脱イオン水排水アセンブリを含む本発明の水和後装置のアセンブリ処理ステーション配置を示す略図である。
【図１６】１つのコンベアラインから低振動検査コンベアラインへレンズパッケージ要素を担持するパレットを搬送する低振動パレット搬送アセンブリの斜視図である。
【図１７】検査パレットからパッケージとレンズを取り出し良品コンベアラインへ光学的に正確なレンズパッケージを載置する第１の回転レンズパッケージ搬送アセンブリの斜視図である。
【図１８】レンズパッケージ要素を一定配列にまとめるためにさらに用いる良品コンベアラインの斜視図である。
【図１９】良品コンベアラインからレンズパッケージアセンブリの一定配列を取り出して生理食塩水注入と箔封止のためにパレットに載置する第２の回転レンズパッケージ搬送アセンブリの斜視図である。
【図２０】生理食塩水注入装置と箔封止アセンブリの概念略図である。
【図２１】生理食塩水注入装置と箔封止アセンブリの側面図である。
【図２２】生理食塩水注入装置と箔封止アセンブリの斜視図である。
【図１】
0004059935.tif 000002
【図２】
0004059935.tif 000003
【図３】
0004059935.tif 000004
【図４】
0004059935.tif 000005
【図５】
0004059935.tif 000006
【図６】
0004059935.tif 000007
【図７】
0004059935.tif 000008
【図８】
0004059935.tif 000009
【図９】
0004059935.tif 000010
【図１０】
0004059935.tif 000011
【図１１】
0004059935.tif 000012
【図１２】
0004059935.tif 000013
【図１３】
0004059935.tif 000014
【図１４】
0004059935.tif 000015
【図１５】
0004059935.tif 000016
【図１６】
0004059935.tif 000017
【図１７】
0004059935.tif 000018
【図１８】
0004059935.tif 000019
【図１９】
0004059935.tif 000020
【図２０】
0004059935.tif 000021
【図２１】
0004059935.tif 000022
【図２２】
0004059935.tif 000023